(57)【要約】      （修正有）【課題】安価な構成で占有面積を小さくすることが可能な画像形成装置を提供する。【解決手段】記録紙に画像形成を行い、画像形成後の記録紙を装置本体２の操作側に排出する画像形成装置１において、排出された記録紙が貯容される貯容部を有する排紙部材１４と、装置本体２に取り付けられ排紙部材１４を支持する曲折形成された支持部材１３とを有し、中サイズの記録紙が排出される際には支持部材１３の一方の面を装置本体２に取り付け、大サイズの記録紙が排出される際には支持部材１３の他方の面を装置本体２に取り付ける構成とした。【選択図】図５
2013109100.tif 000002
【特許請求の範囲】
【請求項１】
記録紙に画像形成を行い、画像形成後の記録紙を装置本体の操作側に排出する画像形成装置において、
排出された記録紙が貯容される貯容部を有する排紙部材と、前記装置本体に取り付けられ前記排紙部材を支持する曲折形成された支持部材とを有し、中サイズの記録紙が排出される際には前記支持部材の一方の面を前記装置本体に取り付け、大サイズの記録紙が排出される際には前記支持部材の他方の面を前記装置本体に取り付けることを特徴とする画像形成装置。
【請求項２】
請求項１記載の画像形成装置において、
手差し給紙部を有し、前記支持部材の何れか一面を前記装置本体に取り付けた際に前記手差し給紙部と前記支持部材とが干渉せず、前記手差し給紙部からの給紙が可能となることを特徴とする画像形成装置。
【請求項３】
請求項１記載の画像形成装置において、
前記装置本体より引き出し可能な引き出し部を有し、前記支持部材の何れか一面を前記装置本体に取り付けた際に前記引き出し部と前記支持部材とが干渉せず、前記装置本体からの前記引き出し部の引き出しが可能となることを特徴とする画像形成装置。
【請求項４】
請求項１ないし３の何れか１つに記載の画像形成装置において、
前記支持部材の何れか一面を前記装置本体に取り付けた際に前記支持部材が前記装置本体の設置スペース内に収まることを特徴とする画像形成装置。
【請求項５】
請求項１ないし４の何れか１つに記載の画像形成装置において、
前記支持部材は前記排紙部材を支持する部位を複数有することを特徴とする画像形成装置。
【請求項６】
請求項１ないし５の何れか１つに記載の画像形成装置において、
前記支持部材は段付ねじによって前記排紙部材を支持することを特徴とする画像形成装置。
【発明の詳細な説明】
【技術分野】
【０００１】
本発明は、複写機やプリンタ等の画像形成装置の排紙トレイの構造に関する。
【背景技術】
【０００２】
従来、複写機、ファクシミリ、プリンタ等の大型の画像形成装置では、画像形成された記録紙のサイズに応じて記録紙の排出口を切り替えるものが知られている。この場合に、小サイズの記録紙は装置本体の胴内に排出し大サイズの記録紙は装置本体の後側から排出することが一般的であり、これは大サイズの記録紙では胴内に排紙するにはスペースが足りず記録紙をスタックすることができないためである。しかし、装置本体の後側に排出する場合には装置本体の後に大きなスペースが必要となり、装置占有面積が大きくなってしまうという問題点がある。そこで、小サイズから大サイズまでの記録紙を同じ胴内のスタック部にスタックすべく、モータによる駆動を用いたワイヤによってスタック部の大きさを変化させる技術が、例えば「特許文献１」に開示されている。
【発明の概要】
【発明が解決しようとする課題】
【０００３】
しかし「特許文献１」に開示された技術では、大掛かりで複雑なスタッカ機構が必要となり装置がコストアップしてしまうという問題点がある。  
本発明は上述の問題点を解決し、安価な構成で占有面積を小さくすることが可能な画像形成装置の提供を目的とする。
【課題を解決するための手段】
【０００４】
請求項１記載の発明は、記録紙に画像形成を行い、画像形成後の記録紙を装置本体の操作側に排出する画像形成装置において、排出された記録紙が貯容される貯容部を有する排紙部材と、前記装置本体に取り付けられ前記排紙部材を支持する曲折形成された支持部材とを有し、中サイズの記録紙が排出される際には前記支持部材の一方の面を前記装置本体に取り付け、大サイズの記録紙が排出される際には前記支持部材の他方の面を前記装置本体に取り付けることを特徴とする。
【発明の効果】
【０００５】
本発明によれば、操作側に排出された大サイズの記録紙は支持部材に載置され、支持部材の斜面上を通り装置前面に垂れ下がるように貯容部にスタックされるので、安価な構成で画像形成装置の占有面積を小さくすることができる。
【図面の簡単な説明】
【０００６】
【図１】本発明の一実施形態を適用可能な画像形成装置の概略図である。
【図２】本発明の一実施形態に用いられる支持部材の概略図である。
【図３】本発明の一実施形態に用いられる排紙部材の概略図である。
【図４】本発明の一実施形態における中サイズ記録紙の排紙態様を説明する概略図である。
【図５】本発明の一実施形態における中サイズ記録紙の排紙態様を説明する概略図である。
【図６】本発明の一実施形態における大サイズ記録紙の排紙態様を説明する概略図である。
【図７】本発明の一実施形態における大サイズ記録紙の排紙態様を説明する概略図である。
【発明を実施するための形態】
【０００７】
図１は、本発明の一実施形態が適用可能な画像形成装置を示している。同図において画像形成装置１は、その装置本体２の内部に像担持体である感光体ドラム３を有しており、感光体ドラム３の周囲には感光体ドラム３の表面を除電する図示しない除電装置、感光体ドラム３の表面を一様に帯電する図示しない帯電装置、レーザ光による光書き込みを行って感光体ドラム３の帯電部分に静電潜像を形成する図示しない露光装置、形成された静電潜像を現像する現像装置４、転写後の感光体ドラム３の表面をクリーニングするクリーニング装置５が配設されている。
【０００８】
感光体ドラム３の下方には感光体ドラム３上に形成されたトナー像を記録紙に転写する転写手段６が配設されており、転写手段６の右方には記録紙上に転写された転写画像を定着する定着手段７が配設されている。装置本体２の下方には、内部に記録紙ロールを収納した引き出し部としての給紙トレイ８及びこれと同様に構成された給紙トレイ９が配設されている。
【０００９】
上述した構成の画像形成装置１において、図示しないスタートキーが押下されて画像形成動作が開始されると、感光体ドラム３が回転して感光体ドラム３上にトナー像が形成される。一方、給紙カセット８または給紙カセット９から記録紙が給送され、給送された記録紙はレジストローラ対１０に突き当てられて一時停止される。そして、感光体ドラム３上のトナー画像にタイミングを合わせてレジストローラ対１０が回転し、記録紙が感光体ドラム３と転写手段６との間に送り込まれ、送り込まれた記録紙には転写手段６の作用によってトナー画像が転写される。画像転写時において記録紙は予め設定されたサイズに応じて図示しない切断手段により切断され、画像が転写され所定のサイズに切断された記録紙は定着手段７へと送られる。定着手段７へと送られた記録紙は熱と圧力との作用により転写画像を定着された後、小サイズ（例えばＡ３サイズまで）の記録紙は胴内排紙されて排紙トレイ１１上に排出され、中サイズ（例えばＡ２サイズまで）や大サイズ（例えばＡ０サイズまで）の記録紙は装置本体２の後側に設けられた大サイズ用排紙トレイ１２に排出される。
【００１０】
上述の構成では、中サイズ及び大サイズの記録紙は装置本体２の後側に設けられた大サイズ用排紙トレイ１２に排出されるため、装置本体２の後側に記録紙取り出し用のスペースを設ける必要が生じ、画像形成装置１の設置スペースが大きくなってしまう。そこで中サイズ及び大サイズの記録紙を胴内排紙して排紙トレイ１１上に排出しようとすると、スペースが足りずに記録紙が落下してしまいスタックができないという問題点がある。本発明はこのような問題点を解決し、大サイズの記録紙を装置前面側である操作側に排出することが可能な構成を提案するものである。以下、詳細に説明する。
【００１１】
図２は本発明の一実施形態に用いられる支持部材を示しており、図３は本発明の一実施形態に用いられる排紙部材を示している。図２において支持部材１３は曲折された板状を呈しており、装置本体２に取り付けられる取付部１３ａと排紙部材１４を支持する支持部１３ｂとを有している。取付部１３ａには、装置本体２に取り付けられる図示しない段付ねじの頭部が貫通可能な穴部と頭部が貫通不可であり首部が通過可能な溝部とを有する一対の取付穴１３ｃと、取付穴１３ｃとは穴部及び溝部の向きが逆に形成された取付穴１３ｄとが設けられており、支持部１３ｂには排紙部材１４を支持するための支持穴１３ｅが４箇所設けられている。排紙部材１４は、記録紙が貯容される貯容部１４ａ、貯容部１４ａの両端部から延出した一対の棒状部材からなる延出部１４ｂ、各延出部１４ｂの先端を曲折することにより形成された係止部１４ｃを有している。
【００１２】
上述した支持部材１３の取付部１３ａを、曲折された支持部１３ｂが装置本体２側に向く態様となるように、図２において裏面側である一方の面を装置本体２の前面側板に段付ねじによって固定し（図４参照）、支持穴１３ｅの何れかの１対に係止部１４ｃを係合させて図５に示す状態とする。この構成により、胴内排紙され操作側の排紙トレイ１１上に排出された中サイズの記録紙は、排紙トレイ１１上を滑走して支持部材１３に載置され、支持部材１３の斜面上を通り装置前面に垂れ下がるように貯容部１４ａにスタックされるので、大サイズ用排紙トレイ１２を使用することがなく装置本体２の後側にスペースを必要とせず、安価な構成で画像形成装置１の占有面積を小さくすることができる。また、係止部１４ｃを係合させる支持穴１３ｅの位置を変更することにより、小範囲のサイズ変更にも対応することができる。
【００１３】
さらに上述の構成でも対応できない（スタックできない）大サイズの記録紙の場合には、取付部１３ａの図２において表面側である他方の面を装置本体２の前面側板に支持部１３ｂが下向きとなる態様で段付ねじによって固定し（図６参照）、支持穴１３ｅの何れかの１対に係止部１４ｃを係合させて図７に示す状態とする。この構成により、胴内排紙され操作側の排紙トレイ１１上に排出された大サイズの記録紙は、排紙トレイ１１上を滑走して支持部材１３に落下し、支持部材１３の斜面上を通り装置前面に垂れ下がるように貯容部１４ａにスタックされるので、安価な構成で画像形成装置１の占有面積を小さくすることができる。また、係止部１４ｃを係合させる支持穴１３ｅの位置を変更することにより、小範囲のサイズ変更にも対応することができる。
【００１４】
なお上述の構成では、排紙トレイ１１上を滑走した記録紙の先端が排紙トレイ１１の下方に設けられた手差しトレイ１５上に落下して支持部材１３上に落下せず、スタックできないという不具合が発生する虞がある。そこで図６に示すように、記録紙の先端が手差しトレイ１５に落下することを防止するための一対のガイド板１６を設けることが望ましい。これにより記録紙を良好にスタックすることができる。
【００１５】
また、図４に示す状態では支持部材１３が手差し給紙部である手差しトレイ１５に干渉し、手差し給紙を行うことができない。この場合には、図７に示す態様で支持部材１３及び排紙部材１４を取り付けることにより、支持部材１３が手差しトレイ１５に干渉せずに手差し給紙を行うことが可能となる。また、図６に示す状態では支持部材１３が給紙トレイ８に干渉し、給紙トレイ８を引き出すことができない。この場合には、図５に示す状態で支持部材１３及び排紙部材１４を取り付けることにより、支持部材１３が給紙トレイ８に干渉せずに給紙トレイ８を引き出すことが可能となる。なおこの場合には、スタック可能な記録紙のサイズに注意が必要である。
【００１６】
図４に示す構成では、支持部材１３の支持部１３ｂが手差しトレイ１５上にかかり装置本体２の設置スペース内に収まるので、支持部材１３が装置本体２よりはみ出さずに設置スペースの拡大が防止できる。また、上記実施形態では支持部材１３を装置本体２に固定する手段として図示しない段付ねじを使用しているので、装置本体２に対する支持部材１３の取り付けを容易に行うことができ、作業効率を向上することができる。
【符号の説明】
【００１７】
１  画像形成装置
２  装置本体
８  引き出し部（給紙トレイ）
１３  支持部材
１４  排紙部材
１４ａ  貯容部
１５  手差し給紙部（手差しトレイ）
【先行技術文献】
【特許文献】
【００１８】
【特許文献１】特開２００６−３６３６８号公報
【図１】
2013109100.tif 000003
【図２】
2013109100.tif 000004
【図３】
2013109100.tif 000005
【図４】
2013109100.tif 000006
【図５】
2013109100.tif 000007
【図６】
2013109100.tif 000008
【図７】
2013109100.tif 000009